(57)【要約】【課題】発光素子を光源として用いた表示パネルについて、輝度ムラを抑制すること。【解決手段】本体１１と、前記本体に支持された表示ユニット１２と、表示ユニット１２内に設けられ、第１の発光素子と第２の発光素子とが配置された第１のエリアと、前記第１の発光素子に直列接続した第３の発光素子と前記第２の発光素子に直列接続した第４の発光素子とが配置された第２のエリアとを含む光源と、前記本体に設けられ、前記第１の発光素子および前記第３の発光素子に第１の電圧を供給する第１の制御回路と、前記本体に設けられ、前記第２の発光素子および前記第４の発光素子に第２の電圧を供給する第２の制御回路とを具備する。【選択図】    図２
2007155826.tif 000002
【特許請求の範囲】
【請求項１】
本体と、
前記本体に支持された表示ユニットと、
前記表示ユニット内に設けられ、第１の発光素子と第２の発光素子とが配置された第１のエリアと、前記第１の発光素子に直列接続した第３の発光素子と前記第２の発光素子に直列接続した第４の発光素子とが配置された第２のエリアとを含む光源と、
前記本体に設けられ、前記第１の発光素子および前記第３の発光素子に第１の電圧を供給する第１の制御回路と、
前記本体に設けられ、前記第２の発光素子および前記第４の発光素子に第２の電圧を供給する第２の制御回路と
を具備することを特徴とする情報処理装置。
【請求項２】
前記本体に設けられ、映像信号を生成するグラフィックスコントローラと、
前記本体に設けられ、前記グラフィックスコントローラ、前記第１の制御回路、および前記第２の制御回路が実装された基板と、を更に具備することを特徴とする請求項１記載の情報処理装置。
【請求項３】
前記本体内に設けられ、前記第１の制御回路および第２の制御回路に接続される第１の端子と、
前記表示ユニット内に設けられ、前記第１の発光素子、前記第２の発光素子、前記第３の発光素子および前記第４の発光素子に接続される第２の端子と、
一端が前記第１の端子に接続され、且つ他端が第２の端子に接続されたケーブルと
を更に具備することを特徴とする請求項１記載の情報処理装置。
【請求項４】
前記本体内に設けられ、映像信号を生成するグラフィックスコントローラと、
前記表示ユニット内に設けられ、前記映像信号に応じて前記表示パネルを駆動するドライバ回路と、をさらに具備し、
前記第１の端子は、前記グラフィックコントローラと接続される端子であり、
前記第２の端子は、前記ドライバ回路と接続される端子であることを特徴とする請求項３記載の情報処理装置。
【請求項５】
前記本体内に設けられ、映像信号を生成するグラフィックスコントローラと、
前記本体内に設けられ、前記グラフィックスコントローラが接続される第３の端子と、
前記表示ユニット内に設けられ、前記映像信号に応じて前記表示パネルを駆動するドライバ回路と、
前記表示ユニット内に設けられ、前記ドライバ回路に接続される第４の端子と、
一端が前記第３の端子に接続され、且つ他端が前記第４の端子に接続される第２のケーブルと
を更に具備することを特徴とする請求項３記載の情報処理装置。
【請求項６】
前記本体内に設けられ、映像信号を生成するグラフィックスコントローラと、
前記本体内に設けられ、前記グラフィックスコントローラ、前記第１の制御回路および前記第２の制御回路が接続される第１の端子と、
前記表示ユニット内に設けられ、前記映像信号に応じて前記表示パネルを駆動するドライバ回路と、
前記表示ユニット内に設けられ、前記ドライバ回路に接続される第２の端子と、
前記表示ユニット内に設けられ、前記第１の発光素子、前記第２の発光素子、前記第３の発光素子および前記第４の発光素子に接続される第３の端子と、
一端が前記第１の端子に接続され、二股に分かれた他端の一方が前記第２の端子に接続され、且つ二股に分かれた他端の他方が前記第３の端子に接続されたケーブルと
を更に具備することを特徴とする請求項１記載の情報処理装置。
【請求項７】
前記本体内に設けられ、映像信号を生成するグラフィックスコントローラと、
前記本体内に設けられ、グラフィックスコントローラが接続される第１の端子と、
前記本体内に設けられ、前記第１の制御回路および前記第２の制御回路が接続される第２の端子と、
前記表示ユニット内に設けられ、前記映像信号に応じて前記表示パネルを駆動するドライバ回路と、
前記表示ユニット内に設けられ、前記ドライバ回路、前記第１の発光素子、前記第２の発光素子、前記第３の発光素子および前記第４の発光素子に接続される第３の端子と、
二股に分かれた一端の一方が前記第１の端子に接続され、且つ二股に分かれた一端の他方が前記第２の端子に接続され、他端が前記第３の端子に接続されたケーブルと
を更に具備することを特徴とする請求項１記載の情報処理装置。
【請求項８】
輝度制御信号を生成する生成回路をさらに具備し、
前記第１の制御回路は、前記生成回路が生成する前記輝度制御信号と前記第１の発光素子および前記第３の発光素子に流れる電流値とに基づいて、前記第１の発光素子および前記第３の発光素子に流す電流値を調整する回路を含み、
前記第２の制御回路は、前記生成回路が生成する前記輝度制御信号と前記第２の発光素子および前記第４の発光素子に流れる電流値とに基づいて、前記第２の発光素子および前記第４の発光素子に流す電流値を調整する回路を含む
ことを特徴とする請求項７記載の情報処理装置。
【請求項９】
前記第１のエリアおよび第２のエリア内の発光素子の配置は、接続された制御回路に応じて決められていることを特徴とする請求項７記載の情報処理装置。
【請求項１０】
前記第１乃至第４の発光素子は複数の配線層を有するプリント基板に実装されていることを特徴とする請求項１記載の情報処理装置。
【発明の詳細な説明】
【技術分野】
【０００１】
本発明は、発光素子を光源として備えたディスプレイユニットを備えた情報処理装置に関する。
【背景技術】
【０００２】
近年、ＬＥＤ（Light Emitting Diode）などの発光素子を光源として備えたＬＣＤ（Liquid Crystal Display）のようなディスプレイユニットを備えた携帯型端末装置が開発されている（特許文献１）。ＬＥＤは、蛍光管のような他の光源と比較して発熱が少なく長寿命であり、また最近では発光効率も十分に改善されている。
【特許文献１】特開２００３−３５８９３号公報
【発明の開示】
【発明が解決しようとする課題】
【０００３】
特許文献１の図１に示すように、ＬＥＤは一つのＬＥＤ制御手段１１によって制御されている。通常、ＬＥＤを光源として用いる場合、複数のＬＥＤを用いる。複数のＬＥＤを光源として用いる場合、ＬＥＤによって輝度が異なる場合がある。ＬＥＤによって輝度が異なると輝度ムラが生じ、画像が見づらくなるという問題がある。
【０００４】
本発明の目的は、発光素子を光源として用いた表示パネルについて、輝度ムラを抑制することが可能な情報処理装置を提供することにある。
【課題を解決するための手段】
【０００５】
本発明の一例に係わる情報処理装置は、本体と、前記本体に支持された表示ユニットと、前記表示ユニット内に設けられ、第１の発光素子と第２の発光素子とが配置された第１のエリアと、前記第１の発光素子に直列接続した第３の発光素子と前記第２の発光素子に直列接続した第４の発光素子とが配置された第２のエリアとを含む光源と、前記本体に設けられ、前記第１の発光素子および前記第３の発光素子に第１の電圧を供給する第１の制御回路と、前記本体に設けられ、前記第２の発光素子および前記第４の発光素子に第２の電圧を供給する第２の制御回路とを具備することを特徴とする。
【発明の効果】
【０００６】
発光素子を光源として用いた表示パネルについて、輝度ムラを抑制することが可能になる。
【発明を実施するための最良の形態】
【０００７】
本発明の実施の形態を以下に図面を参照して説明する。
【０００８】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【０００９】
図１は、ノートブック型パーソナルコンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ１７（Liquid Crystal Display）およびバックライトから構成される表示パネルが組み込まれており、そのＬＣＤ１７の表示画面はディスプレイユニット１２のほぼ中央に位置されている。ＣＤ１７は、透過型液晶パネルから構成されている。ディスプレイユニット１２においては、ＬＣＤ１７の背面にバックライトが配置されている。バックライトは、ディスプレイユニット１２の照明装置として機能する。このバックライトは、白色ＬＥＤ（White Light Emitting Diode）のような発光素子を光源として備えている。バックライトの光源に白色ＬＥＤ群を用いることによって、バックライトの長寿命化、および低消費電力を実現することが出来る。
【００１０】
ディスプレイユニット１２は、コンピュータ本体１１の上面を覆う開放位置とコンピュータ本体１２の上面が露出する閉塞位置との間を回動自在に変化するように、コンピュータ本体１２の奥手側の端部に設けられたヒンジ（支持部）２５Ａ，２５Ｂに取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１１】
入力操作パネル１５は、押されたボタンに対応するイベントを入力する入力装置であり、複数の機能をそれぞれ起動するための複数の機能をそれぞれ起動するための複数のボタンを備えている。これらのボタン群には、輝度制御ボタン１５Ａも含まれている。
【００１２】
輝度制御ボタン１５Ａは、ＬＣＤ１７の表示輝度、つまり白色ＬＥＤの輝度を調整するためのボタンスイッチである。輝度制御ボタン１５Ａがユーザによって押下されたとき、白色ＬＥＤの輝度の増加（高輝度）および減少（低輝度）のいずれか一方を指示するイベントが発生する。本コンピュータ１０は、白色ＬＥＤの輝度を表示輝度レベル８〜１の８段階で切り替える輝度制御機能を有する。本実施形態においては、輝度制御ボタン１５Ａがユーザによって押される毎に、白色ＬＥＤの輝度は、表示輝度レベル８，→７，→６，・・・，→１，→８のようにトグルされる。
【００１３】
次に、図２を参照して、本コンピュータ１０のシステム構成について説明する。
【００１４】
本コンピュータ１０は、図２に示されているように、ＣＰＵ１１１、ノースブリッジ１１２、主メモリ１１３、グラフィックスコントローラとしてのＧＰＵ（Graphics Processing Unit）１１４、サウスブリッジ１１９、ＢＩＯＳ−ＲＯＭ１２０、ハードディスクドライブ（ＨＤＤ）１２１、エンベデッドコントローラ／キーボードコントローラＩＣ（ＥＣ／ＫＢＣ）１２４、および電源コントローラ１２５等を備えている。
【００１５】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）、および各種アプリケーションプログラムを実行する。
【００１６】
また、ＣＰＵ１１１は、ＢＩＯＳ−ＲＯＭ１２０に格納されたＢＩＯＳ（Basic Input Output System）も実行する。ＢＩＯＳはハードウェア制御のためのプログラムである。このＢＩＯＳは白色ＬＥＤ群の表示輝度を制御する機能を有している。ＢＩＯＳは、白色ＬＥＤの輝度を制御するために輝度制御テーブルを使用する。輝度制御テーブルには、表示輝度レベル８〜１それぞれに対応する輝度制御データが設定されている。
【００１７】
ノースブリッジ１１２はＣＰＵ１１１のローカルバスとサウスブリッジ１１９との間を接続するブリッジデバイスである。ノースブリッジ１１２には、表示輝度を制御するためのハードウェアロジックとして、輝度制御レジスタ１１２Ａおよび生成回路としてのＰＷＭ（Pulse Width Modulation）回路１１２Ｂ等が設けられている。輝度制御レジスタ１１２Ａは、ＣＰＵ１１１によってリード／ライト可能なＩ／Ｏレジスタである。ＢＩＯＳは、目標の表示輝度レベルに対応する輝度制御データを輝度制御レジスタ１１２Ａに書き込む。ＰＷＭ回路１１２Ｂは、輝度制御レジスタ１１２Ａに書き込まれた輝度制御データに対応する輝度制御信号としてのＰＷＭ信号を生成する。ＰＷＭ信号のデューティ比は、輝度制御データの値によって変化する。ＰＷＭ回路１１２Ｂから発生されたＰＷＭ信号は、ディスプレイユニット１２内に設けられたＬＥＤ駆動回路２０に輝度制御信号として送られる。
【００１８】
ＬＥＤ駆動回路２０は、白色ＬＥＤ群１９を駆動する回路である。白色ＬＥＤ群１９は、ＬＣＤ１７の背面に設けられた導光板１８の一端部に取り付けられている。導光板１８によって、白色ＬＥＤ群１９からの光を面状に照射される。導光板１８と白色ＬＥＤ群１９とにより、バックライトが構成される。ＬＥＤ駆動回路２０は、複数の電源制御回路を有している。各電源制御回路は、ブーストＤＣ−ＤＣコンバータとして機能する。電源制御回路は白色ＬＥＤ群１９に流れる電流値を調整するために、ＰＷＭ回路１１２Ｂから送出されたＰＷＭ信号に応じて白色ＬＥＤ群１９に供給される駆動電圧の電圧値を調整する。
【００１９】
また、ノースブリッジ１１２には、主メモリ１１３をアクセス制御するメモリコントローラも内蔵されている。また、ノースブリッジ１１２には、ＡＧＰ（Accelerated Graphics Port）バスなどを介してグラフィクスコントローラ１１４との通信を実行する機能も有している。
【００２０】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた表示データから、ディスプレイユニット１２のＬＣＤ１７に表示すべき表示イメージを形成する映像信号を生成する。
【００２１】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００２２】
ＨＤＤ１２１は、各種ソフトウェア及びデータを格納する記憶装置である。このＨＤＤ１２１には、上述したオペレーティングシステムおよび各種アプリケーションシステムなどが格納されている。
【００２３】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、輝度制御ボタン１５Ａがユーザによって押された時、表示輝度切り替えイベントが入力されたことをＢＩＯＳに通知するために例えばＳＭＩ（System Management Interrupt）のような割り込み信号を生成する。また、エンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００２４】
次に図３，図４を参照して、白色ＬＥＤ群１９およびＬＥＤ駆動回路２０の構成を説明する。白色ＬＥＤ群１９は、複数の配線層を有するプリント基板２２に複数の白色ＬＥＤが一方向に実装されて構成されている。プリント基板２２には、白色ＬＥＤが実装された領域には複数の発光エリアＥＡ１，ＥＡ２，ＥＡ３，…，ＥＡｎが設定されている。なお、プリント基板２２のかわりに、フレキシブルプリント基板を用いても良い。
【００２５】
第１の発光エリアＥＡ１には、白色ＬＥＤｄＡ１（第１の発光素子），ｄＢ１（第２の発光素子），ｄＣ１，…，ｄＤ１が、この順番で配置されている。第２の発光エリアＥＡ２には、白色ＬＥＤｄＡ２（第３の発光素子），ｄＢ２（第４の発光素子），ｄＣ２，…，ｄＤ２が、この順番で配置されている。発光エリアＥＡ３には、白色ＬＥＤｄＡ３，ｄＢ３，ｄＣ３，…，ｄＤ３が、この順番で配置されている。発光エリアＥＡｎには、白色ＬＥＤｄＡｎ，ｄＢｎ，ｄＣｎ，…，ｄＤｎが、この順番で配置されている。
【００２６】
そして、白色ＬＥＤｄＡ１，ｄＡ２，ｄＡ３，…，ｄＡｎは直列接続されている。白色ＬＥＤｄＢ１，ｄＢ２，ｄＢ３，…，ｄＢｎは直列接続されている。白色ＬＥＤｄＣ１，ｄＣ２，ｄＣ３，…，ｄＣｎは直列接続されている。白色ＬＥＤｄＤ１，ｄＤ２，ｄＤ３，…，ｄＤｎは直列接続されている。
【００２７】
直列接続された白色ＬＥＤｄＡ１，ｄＡ２，ｄＡ３，…ｄＡｎの一端、即ち白色ＬＥＤｄＡ１のアノード、および他端、即ち白色ＬＥＤｄＡｎのカソードは、ＬＥＤ駆動回路２０内の対応する電源制御回路２１Ａに接続されている。直列接続された白色ＬＥＤｄＢ１，ｄＢ２，ｄＢ３，…ｄＢｎの一端、即ち白色ＬＥＤｄＢ１のアノード、および他端、即ち白色ＬＥＤｄＢｎのカソードは、ＬＥＤ駆動回路２０内の対応する電源制御回路２１Ｂに接続されている。直列接続された白色ＬＥＤｄＣ１，ｄＣ２，ｄＣ３，…ｄＣｎの一端、即ち白色ＬＥＤｄＣ１のアノード、および他端、即ち白色ＬＥＤｄＣｎのカソードは、ＬＥＤ駆動回路２０内の対応する電源制御回路２１Ｃに接続されている。直列接続された白色ＬＥＤｄＤ１，ｄＤ２，ｄＤ３，…ｄＤｎの一端、即ち白色ＬＥＤｄＤ１のアノード、および他端、即ち白色ＬＥＤｄＤｎのカソードは、ＬＥＤ駆動回路２０内の対応する電源制御回路２１Ｄに接続されている。
【００２８】
各発光エリアＥＡｉ（ｉ＝１，２，３，…，ｎ）内の白色ＬＥＤは、駆動電圧を供給する電源制御回路２１Ａ，２１Ｂ，２１Ｃ，２１Ｄに応じて配置されている。
【００２９】
電源制御回路２１Ａは、直列接続された白色ＬＥＤｄＡ１，ｄＡ２，ｄＡ３，…，ｄＡｎに流れる電流を検知する機能を有する。白色ＬＥＤｄＡ１，ｄＡ２，ｄＡ３，…，ｄＡｎのカソード側はアースに接続されていないので、電源制御回路２１Ａは、他の電源制御回路２１Ｂ，２１Ｃ，２１Ｄに接続された白色ＬＥＤに流れる電流の影響を受けず、白色ＬＥＤｄＡ１，ｄＡ２，ｄＡ３，…，ｄＡｎに流れる電流を精度良く検知することができる。電源制御回路２１Ａは、電源制御回路２１Ａに輝度制御信号として入力されるＰＷＭ信号のデューティ比と検知された電流値とに基づいて、電流値を調整するために駆動電圧ＶｄＡの値を調整する。
【００３０】
電源制御回路２１Ｂは、直列接続された白色ＬＥＤｄＢ１，ｄＢ２，ｄＢ３，…，ｄＢｎに流れる電流を検知する機能を有する。白色ＬＥＤｄＢ１，ｄＢ２，ｄＢ３，…，ｄＢｎのカソード側はアースに接続されていないので、電源制御回路２１Ｂは、他の電源制御回路２１Ａ，２１Ｃ，２１Ｄに接続された白色ＬＥＤに流れる電流の影響を受けず、白色ＬＥＤｄＢ１，ｄＢ２，ｄＢ３，…，ｄＢｎに流れる電流を精度良く検知することができる。電源制御回路２１Ｂは、電源制御回路２１Ｂに輝度制御信号として入力されるＰＷＭ信号のデューティ比と検知された電流値とに基づいて、電流値を調整するために駆動電圧ＶｄＢの値を調整する。
【００３１】
電源制御回路２１Ｃは、直列接続された白色ＬＥＤｄＣ１，ｄＣ２，ｄＣ３，…，ｄＣｎに流れる電流を検知する機能を有する。白色ＬＥＤｄＣ１，ｄＣ２，ｄＣ３，…，ｄＣｎのカソード側はアースに接続されていないので、電源制御回路２１Ｃは、他の電源制御回路２１Ａ，２１Ｂ，２１Ｄに接続された白色ＬＥＤに流れる電流の影響を受けず、白色ＬＥＤｄＣ１，ｄＣ２，ｄＣ３，…，ｄＣｎに流れる電流を精度良く検知することができる。電源制御回路２１Ｃは、電源制御回路２１Ｃに輝度制御信号として入力されるＰＷＭ信号のデューティ比と検知された電流値とに基づいて、電流値を調整するために駆動電圧ＶｄＣの値を調整する。
【００３２】
電源制御回路２１Ｄは、直列接続された白色ＬＥＤｄＤ１，ｄＤ２，ｄＤ３，…，ｄＤｎに流れる電流を検知する機能を有する。白色ＬＥＤｄＤ１，ｄＤ２，ｄＤ３，…，ｄＤｎのカソード側はアースに接続されていないので、電源制御回路２１Ｄは、他の電源制御回路２１Ａ，２１Ｂ，２１Ｃに接続された白色ＬＥＤに流れる電流の影響を受けず、白色ＬＥＤｄＤ１，ｄＤ２，ｄＤ３，…，ｄＤｎに流れる電流を精度良く検知することができる。電源制御回路２１Ｄは、電源制御回路２１Ｄに輝度制御信号として入力されるＰＷＭ信号のデューティ比と検知された電流値とに基づいて、電流値を調整するために駆動電圧ＶｄＤの値を調整する。輝度制御信号の値は、ＰＷＭ回路１１２Ｂにて生成されるＰＷＭ信号の値を示す。
【００３３】
図３に示すように、同一発光エリア内の各白色ＬＥＤを別々の電源駆動回路で白色電流に流れる電流の制御を行う。これによって、ＬＥＤ素子のバラツキが発生しても、輝度ムラが改善され、かつ安定した駆動を行うことが出来る。また、電源制御回路２１Ａ，２１Ｂ，２１Ｃ，２１Ｄは精度良く白色ＬＥＤに流れる電流を検知することができるので、検知された電流によるフィードバックの精度も高くなり、輝度ムラを改善することができる。
【００３４】
従来の白色ＬＥＤを光源として用いた場合、同一発光エリア内の白色ＬＥＤは同一の電源駆動回路で駆動している。また、白色ＬＥＤに駆動電圧を供給するための端子はプリント基板の端部に設けられることが多い。従って、発光エリアに応じて、端子と直列接続された白色ＬＥＤとを接続する配線パターンの長さが異なる。ところが、配線パターン自身の抵抗により、配線パターンの長さが異なると、発光エリア（電源制御回路）に応じて駆動電圧が大幅に変動する。その結果、発光エリア間の輝度が変動しやすくなる。
【００３５】
本実施形態の場合、発光エリア内の各白色ＬＥＤは、それぞれ異なる電源制御回路によって駆動されている。よって、白色ＬＥＤｄＡ１，ｄＡ２，ｄＡ３，…，ｄＡｎを直列接続するための配線パターン、白色ＬＥＤｄＢ１，ｄＢ２，ｄＢ３，…，ｄＢｎを直列接続するための配線パターン、白色ＬＥＤｄＣ１，ｄＣ２，ｄＣ３，…，ｄＣｎを直列接続するための配線パターン、白色ＬＥＤｄＤ１，ｄＤ２，ｄＤ３，…，ｄＤｎを直列接続するための配線パターンの長さが均一化される。従って、（電源制御回路）に応じて駆動電圧が大幅に変動することがなく、ＬＣＤ１７面内の輝度が均一になる。
【００３６】
また、従来の白色ＬＥＤを光源として用いた場合、同一発光エリア内の白色ＬＥＤは同一の電源駆動回路で駆動している。その結果、何れかの発光エリアの白色ＬＥＤが点灯できなくなった場合、ブロック状に画面が認識出来ない部分が発生してしまう。ところが、本実施形態の場合、何れかの電源制御回路に接続された白色ＬＥＤを点灯することが出来なくなった場合、図５に示すように、ブロック状に認識できない部分が発生するのではないので、ＬＣＤ１７に表示された情報を認識する事ができる。
【００３７】
ところで、上述したように、ディスプレイユニット１２内のＬＣＤ１７に映像信号を供給するＧＰＵ１１４、ディスプレイユニット１２内のＬＣＤ群１９に駆動電圧を供給するＬＥＤ駆動回路２０は、コンピュータ本体１１内に設けられている。図６に示すように、ＧＰＵ１１４およびＬＥＤ駆動回路２０は、システム基板２０１に実装されている。そして、システム基板２０１には、ＣＰＵ１１１、ノースブリッジ１１２、メモリ１１３、サウスブリッジ１１９、ＢＩＯＳ−ＲＯＭ１２０、およびＥＣ／ＫＢＣ１２４が実装されている。
【００３８】
白色ＬＥＤ群１９Ａ（ｄＡ１〜ｄＡｎ）、白色ＬＥＤ群１９Ｂ（ｄＢ１〜ｄＢｎ）、白色ＬＥＤ群１９Ｃ（ｄＣ１〜ｄＣｎ）、および白色ＬＥＤ群１９Ｄ（ｄＤ１〜ｄＤｎ）は、パネル側基板２０２に実装されている。パネル側基板２０２には、ＧＰＵ１１４から供給された映像信号に応じてＬＣＤ１７に映像を表示するためのＬＣＤドライバ回路２０３が実装されている。
【００３９】
映像信号、および駆動電圧は、システム基板２０１からパネル側基板２０２に対して、一つのケーブル２０４を用いて供給される。ケーブル２０４は、ヒンジ２５Ａおよびヒンジ２５Ａの一方の内部を通っている。ケーブル２０４の第１のコネクタ２０４Ａは、システム基板２０１に設けられた第１の端子としてのソケット２０１Ａに挿入されている。また、ケーブル２０４の第２のコネクタ２０４Ｂは、パネル側基板２０２に設けられた第２の端子としてのソケット２０２Ａに挿入されている。
【００４０】
一つのケーブル２０４で映像信号および駆動電圧を供給することで、ケーブル２０４から漏れる電磁波を遮蔽するためのシールドが容易になり、ＥＭ対策が容易になる。
【００４１】
ＬＣＤ１７の光源に蛍光管を用いていたコンピュータの場合、蛍光管を駆動する電圧が高い。従って、蛍光管の駆動信号線は、ヒンジ部分（ＬＣＤ部とメイン部の接続稼動部）に敷設可能な電気配線の数も限られており、沿面距離の確保の点から他の信号と同一経路ですることができない。そのため、蛍光管の駆動信号を生成するＦＬインバータをコンピュータ本体１１内に設けることが出来ない。
【００４２】
本実施形態の場合、ＬＣＤ１７のバックライトには、白色ＬＥＤを使用している。白色ＬＥＤの駆動電圧は低いので、沿面距離を考慮する必要が無い。そのため、ＬＥＤの駆動電圧が流れる駆動電圧線とと映像信号が流れる信号線とを、ヒンジに敷設可能な１本のケーブル内に含めることができる。
【００４３】
なお、図６に示した例では、一つのケーブル２０４によって、映像信号及び駆動電圧を伝送していた。しかし、図７に示すように、映像信号を伝送するケーブル２１１と駆動電圧を伝送するケーブル２１２とを設けても良い。この場合、システム基板２０１に第１の端子としてのソケット２１３Ａおよび第２の端子としてのソケット２１３Ｂを設け、パネル側基板２０２に第３の端子としてのソケット２１４Ａおよび第４の端子としてのソケット２１４Ｂを設ける。そして、ケーブル２１１の一端をソケット２１３Ａに挿入し、ケーブル２１１の他端をソケット２１４Ａに挿入する。また、ケーブル２１２の一端をソケット２１３Ｂに挿入し、ケーブル２１２の他端をソケット２１４Ｂに挿入する。この例は、ヒンジ２５Ａ，２５Ｂの内部のケーブルを通すスペースが狭く、１本のケーブルで映像信号及び駆動電圧を伝送することができない場合に有効である。図７では、ＬＣＤドライバ回路２０３および白色ＬＥＤ群１９が同一の基板２０２に実装されいているが、異なる基板に実装されていても良い。
【００４４】
また、図８に示すように、システム基板２０１側に一つの第１の端子としてのソケット２２１を設け、パネル側基板２０２に２つのソケット２２２，２２３を設けても良い。そして、映像信号および駆動電圧を供給するケーブル２２４をディスプレイユニット１２内で二股に分け、白色ＬＥＤ群１９に接続された第３の端子としてのソケット２２２にケーブル２２４Ａを、ＬＣＤドライバ回路２０３に接続された第２の端子としてのソケット２２３にケーブル２２４Ｂを接続しても良い。配線の取り回しの関係で、白色ＬＥＤ群１９とＬＣＤドライバ回路２０３とを一つのソケットに接続できない場合に有効である。図８では、ＬＣＤドライバ回路２０３および白色ＬＥＤ群１９が同一の基板２０２に実装されいているが、異なる基板に実装されていても良い。
【００４５】
また、図９に示すように、システム基板２０１側に二つのソケット２３１，２３２を設け、パネル側基板２０２に第３の端子としての一つのソケット２３３を設けても良い。そして、映像信号および駆動電圧を供給するケーブル２２４をコンピュータ本体１１内で二股に分け、ＧＰＵ１１４に接続された第１の端子としてのソケット２３１にケーブル２３４Ａを、ＬＥＤ駆動回路２０に接続された第２の端子としてのソケット２３２にケーブル２３４Ｂを接続しても良い。配線の取り回しの関係で、ＧＰＵ１１４とＬＥＤ側駆動回路２０とを秘湯のソケットに接続できない場合に有効である。
【００４６】
また、図１０に示すように、蛍光管を使用する場合にディスプレイユニット１２内に実装されていたＦＬインバータ回路が不要になるので、ＦＬインバータ回路が実装されていたスペースに他用途の機能、例えばＳＤカードリーダ２４１が実装可能になる。
【００４７】
映像信号および駆動電圧を一つのケーブルで伝送するが、ＬＣＤドライバ回路２０３とＬＥＤ群１９とが、異なる基板に実装されている場合について説明する。
【００４８】
異なる基板に実装されている場合、図１１に示すように、ＬＣＤドライバ回路が実装された基板２５１から白色ＬＥＤ群１９が実装された基板２５２までフレキシブル基板２５３を介して駆動電圧を供給する。基板２５１には、映像信号および駆動電圧を伝送するケーブル２５４と接続するソケット２５５が実装されている。この接続構成は、図９に示した接続例にも適用することができる。
【００４９】
なお、上述した例では発光素子として白色ＬＥＤを用いたが、白色ＬＥＤのかわりに赤色ＬＥＤ、緑色ＬＥＤ、および青色ＬＥＤの組み合わせで白色を表現しても良い。
【００５０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５１】
【図１】本発明の一実施形態に係る情報処理装置の外観を示す斜視図。
【図２】図１の情報処理装置のシステム構成の例を示すブロック図。
【図３】図１の情報処理装置に設けられたＬＥＤ駆動回路およびＬＥＤ群の構成の例を示すブロック図。
【図４】図３の電源制御回路および白色ＬＥＤの構成を示す図。
【図５】何れかの電源制御回路に接続された白色ＬＥＤが点灯しなくなった場合のＬＣＤの表示例を示す図。
【図６】ＧＰＵおよび電源制御回路が実装されたシステム基板、ＬＣＤドライバ回路および白色ＬＥＤ群が実装されたパネル側基板、および映像信号および駆動電圧をパネル側基板に伝送するケーブルの例を示す図。
【図７】システム基板とパネル側基板との接続例を示す図。
【図８】システム基板とパネル側基板との接続例を示す図。
【図９】システム基板とパネル側基板との接続例を示す図。
【図１０】ディスプレイユニット内にＳＤカードリーダを設けた場合のシステム基板とパネル側基板との接続例を示す図。
【図１１】映像信号および駆動電圧が伝送される基板と、白色ＬＥＤが実装された基板との接続例を示す図。
【符号の説明】
【００５２】
１０…ノートブック型パーソナルコンピュータ，１１…コンピュータ本体，１２…ディスプレイユニット，１３…キーボード，１４…パワーボタン，１５…入力操作パネル，１５Ａ…輝度制御ボタン，１６…タッチパッド，１７…ＬＣＤ，１８…導光板，１９…ＬＥＤ群，２０…ＬＥＤ駆動回路，２１Ａ，２１Ｂ，２１Ｃ，２１Ｄ…電源制御回路，２２…プリント基板，１１１…ＣＰＵ，１１２…ノースブリッジ，１１２Ａ…輝度制御レジスタ，１１２Ｂ…ＰＷＭ回路，１１３…主メモリ，１１４…グラフィクスコントローラ，１１４Ａ…ビデオメモリ，１１９…サウスブリッジ，１２０…ＢＩＯＳ−ＲＯＭ，１２１…ハードディスクドライブ，１２２…光ディスクドライブ，１２４…キーボードコントローラＩＣ，１２５…電源コントローラ，ｄＡ１、ｄＡ２、ｄＡ３、…、ｄＡｎ…白色ＬＥＤ，ｄＢ１、ｄＢ２、ｄＢ３、…、ｄＢｎ…白色ＬＥＤ，ｄＣ１、ｄＣ２、ｄＣ３、…、ｄＣｎ…白色ＬＥＤ，ｄＤ１、ｄＤ２、ｄＤ３、…、ｄＤｎ…白色ＬＥＤ
【図１】
2007155826.tif 000003
【図２】
2007155826.tif 000004
【図３】
2007155826.tif 000005
【図４】
2007155826.tif 000006
【図５】
2007155826.tif 000007
【図６】
2007155826.tif 000008
【図７】
2007155826.tif 000009
【図８】
2007155826.tif 000010
【図９】
2007155826.tif 000011
【図１０】
2007155826.tif 000012
【図１１】
2007155826.tif 000013